(57)【要約】【課題】表示する画像の寸法に合わせて画面のサイズを変える。【解決手段】アスペクト比切替スイッチ８５により設定される画像のアスペクト比に対応する目標繰出量をＥＥＰＲＯＭ１３３に記憶させておく。アスペクト比切替スイッチ８５で設定される通常撮影モードのアスペクト比３：４に対応する目標繰出量は、本体１１外部に露出したモニタ６９のアスペクト比が３：４となる繰出量である。一方、アスペクト比切替スイッチ８５で設定されるワイド撮影モードのアスペクト比９：１６に対応する目標繰出量は、本体１１外部に露出したモニタ６９のアスペクト比が９：１６となる繰出量である。アスペクト比切替スイッチ８５により通常撮影モード又はワイド撮影モードが設定されると、モニタ６９のアスペクト比が設定された撮影モードのアスペクト比に適合するように繰り出される。【選択図】  図９
2006229907.tif 000002
【特許請求の範囲】
【請求項１】
被写体の画像を撮像する撮像部と、
前記画像のアスペクト比を設定するアスペクト比設定部と、
前記アスペクト比設定部から設定されたアスペクト比で前記画像を記録する記録部と、
前記画像を表示する可撓性の表示装置と、
前記表示装置を本体内に巻回又は本体外に繰り出す巻回／繰出機構と、
前記アスペクト比設定部から設定されたアスペクト比に応じて前記表示装置を本体内に巻回又は本体外に繰り出すよう前記巻回／繰出機構を制御する制御部と、
を備える撮像装置。
【請求項２】
画像を記録する記録部と、
前記画像のアスペクト比を算出するアスペクト比算出部と、
前記画像を表示する可撓性の表示装置と、
前記表示装置を本体内に巻回又は本体外に繰り出す巻回／繰出機構と、
前記アスペクト比算出部の算出したアスペクト比に応じて前記表示装置を本体内に巻回又は本体外に繰り出すよう前記巻回／繰出機構を制御する制御部と、
を備える撮像装置。
【請求項３】
被写体の画像を撮像する撮像部と、
前記画像を記録する記録部と、
前記画像を表示する可撓性の表示装置と、
前記表示装置を本体内に巻回又は本体外に繰り出す巻回／繰出機構と、
前記画像の表示サイズに応じて前記表示装置を本体内に巻回又は本体外に繰り出すよう前記巻回／繰出機構を制御する制御部と、
を備える撮像装置。
【請求項４】
前記制御部は前記表示装置に表示する画像の種類及び数に応じて前記表示装置の繰り出し量を算出し、前記算出された繰り出し量だけ前記巻回／繰出機構が前記表示装置を繰り出すよう制御する請求項３に記載の撮像装置。
【請求項５】
前記画像の種類はスルー画像、前記記録部に記録された画像若しくは前記記録部に記録された画像のサムネイル画像又はこれらの一部若しくは全部の組み合わせを含む請求項４に記載の撮像装置。
【請求項６】
前記表示装置に表示する画像の種類の選択を受け付ける操作部をさらに備える請求項４又は５に記載の撮像装置。
【請求項７】
前記制御部による繰り出し量の算出及び前記巻回／繰出機構の制御は前記画像が前記記録部に記録されるごとに実行される請求項４〜６のいずれかに記載の撮像装置。
【請求項８】
前記表示装置は撮影に関する情報である撮影情報を表示し、
前記制御部は前記撮影情報の表示サイズに応じて前記表示装置を本体内に巻回又は本体外に繰り出すよう前記巻回／繰出機構を制御する請求項３〜７のいずれかに記載の撮像装置。
【発明の詳細な説明】
【技術分野】
【０００１】
本発明は撮像装置に係り、特に表示する画像の寸法に応じて画像表示装置のサイズを変更できる撮像装置に関する。
【背景技術】
【０００２】
従来、限られた表示画面のサイズに合わせて画像をできるだけ多く表示させる技術が様々開発されている。例えば特許文献１によると、ウィンドウに複数のサムネイルを一覧表示する。このとき、ウィンドウのサイズと画像ファイルの数に基づいて、全てのサムネイルを表示可能なように、サムネイルの配列および縮小率を自動設定する。これにより、所定の表示エリア内に表示される複数の画像を閲覧する際のユーザの利便性を向上させることができる。
【特許文献１】特開２００４−１２６３３号公報
【発明の開示】
【発明が解決しようとする課題】
【０００３】
特許文献１の技術では、表示画面のサイズに合わせて表示する画像のサイズを変更するため、表示画面のサイズが大きければ問題ないが、表示画面が小さいとサムネイルも小さく表示され見づらい。また、表示画面と画像のアスペクト比の異同により、画像の表示体裁が変わってしまうという問題もある。例えば、アスペクト比が９：１６の表示画面に３：４の画像を表示する際には、表示画面一杯に画像を表示できるが、アスペクト比が９：１６でない画像、例えば３：４の画像を表示する際には、アスペクト比が合わないため、画面中の画像が表示されない余った領域を黒で塗りつぶすか、画像のアスペクト比を表示画面のアスペクト比に合うよう縦横比サイズ変換をしたりする必要がある。そうすると、本来のアスペクト比と合わないアスペクト比で画像を表示することになり、観る者に不自然な印象を与えてしまう。本発明はこのような問題点に鑑みてなされたもので、表示する画像の寸法に合わせて画面のサイズを変えることを目的とする。
【課題を解決するための手段】
【０００４】
上記課題を解決するため、本発明の撮像装置は、被写体の画像を撮像する撮像部と、画像のアスペクト比を設定するアスペクト比設定部と、アスペクト比設定部から設定されたアスペクト比で画像を記録する記録部と、画像を表示する可撓性の表示装置と、表示装置を本体内に巻回又は本体外に繰り出す巻回／繰出機構と、アスペクト比設定部から設定されたアスペクト比に応じて表示装置を本体内に巻回又は本体外に繰り出すよう巻回／繰出機構を制御する制御部と、を備える。
【０００５】
この撮像装置は、アスペクト比設定部により設定された画像のアスペクト比に応じて表示装置を本体内に巻回又は本体外に繰り出す。このため、表示装置のアスペクト比を記録しようとする画像のアスペクト比に適合させることができる。
【０００６】
また、本発明の撮像装置は、画像を記録する記録部と、画像のアスペクト比を算出するアスペクト比算出部と、画像を表示する可撓性の表示装置と、表示装置を本体内に巻回又は本体外に繰り出す巻回／繰出機構と、アスペクト比算出部の算出したアスペクト比に応じて表示装置を本体内に巻回又は本体外に繰り出すよう巻回／繰出機構を制御する制御部と、を備える。
【０００７】
この撮像装置は、記録された画像のアスペクト比に応じて表示装置を本体内に巻回又は本体外に繰り出す。このため、表示装置のアスペクト比を記録された画像のアスペクト比に適合させることができる。
【０００８】
また、本発明の撮像装置は、被写体の画像を撮像する撮像部と、画像を記録する記録部と、画像を表示する可撓性の表示装置と、表示装置を本体内に巻回又は本体外に繰り出す巻回／繰出機構と、画像の表示サイズに応じて表示装置を本体内に巻回又は本体外に繰り出すよう巻回／繰出機構を制御する制御部と、を備える。
【０００９】
この撮像装置は、記録された画像の表示サイズに応じて表示装置を本体内に巻回又は本体外に繰り出す。このため、表示装置のサイズを記録された画像のサイズに適合させることができる。
【００１０】
制御部は表示装置に表示する画像の種類及び数に応じて表示装置の繰り出し量を算出し、算出された繰り出し量だけ巻回／繰出機構が表示装置を繰り出すよう制御するようにしてもよい。
【００１１】
画像の種類はスルー画像、記録部に記録された画像若しくは記録部に記録された画像のサムネイル画像又はこれらの一部若しくは全部の組み合わせを含む。
【００１２】
この撮像装置は、表示装置に表示する画像の種類の選択を受け付ける操作部をさらに備えてもよい。
【００１３】
制御部による繰り出し量の算出及び巻回／繰出機構の制御は画像が記録部に記録されるごとに実行される。
【００１４】
表示装置は撮影に関する情報である撮影情報を表示し、制御部は撮影情報の表示サイズに応じて表示装置を本体内に巻回又は本体外に繰り出すよう巻回／繰出機構を制御するようにしてもよい。
【発明の効果】
【００１５】
本発明に係る撮像装置は、アスペクト比設定部により設定された画像のアスペクト比、記録された画像のアスペクト比、あるいは画像の表示サイズに応じて表示装置を本体内に巻回又は本体外に繰り出す。このため、表示装置の寸法を画像の寸法に適合させることができる。
【発明を実施するための最良の形態】
【００１６】
以下、添付した図面を参照し本発明の好ましい実施の形態を説明する。
【００１７】
＜第１実施形態＞
図１は、本発明の好ましい実施形態に係るカメラ１０の外観斜視図である。このカメラ１０は、筐体であるカメラ本体１１から前方へ突出したレンズ部１４を備えており、不使用時にはレンズ部１４がカメラ本体１１内に沈胴されるよう構成された沈胴式カメラである。
【００１８】
カメラ１０の背面には、ファインダー５０及びモニタ６９が設けられ、操作部１５７として、シャッターボタン８０、電源スイッチ８２、モード切替スイッチ８４、アスペクト比切替スイッチ８５が設けられている。ファインダー５０は、電子ビューファインダーで構成されるが、このファインダー５０を光学式ファインダーに置換する態様も可能である。
【００１９】
モニタ６９は、撮影時に画角確認用の電子ファインダーとして使用できるとともに、撮影した画像のプレビュー画やメモリカード等の外部記録装置から読み出した再生画像等を表示する表示手段である。更にモニタ６９には、撮影可能枚数（コマ数）や再生コマ番号の表示、マクロモード表示、記録画質（クオリティー）表示、画素数表示等の情報を表示することができる。撮影者はファインダー５０又はモニタ６９に映し出される映像（スルー画像）を見て画角を調整することができる。モニタ６９は、有機ＥＬディスプレイ（organic electroluminescence display）などの可撓性の表示装置で構成されており、長尺状の形状を有している。
【００２０】
なお、本体１１には、モニタ６９とは別個の表示手段である液晶パネル７０を設けてもよい。液晶パネル７０には、シャッタ速度、絞り値（Ｆナンバ）、ホワイトバランス設定、露光方式、ＩＳＯ感度、露出補正値などの撮影情報が文字、絵文字で表示される。表示される情報は、設定又は使用するモードに応じて変化する。液晶パネル７０をモニタ６９と同様の繰り出し／巻き取り可能な可撓性の液晶表示装置に置換する態様や、液晶パネル７０を設けない態様も可能である。
【００２１】
図２は、レンズ部１４を本体１１に収納した状態のカメラ１０の外観斜視図である。レンズ部１４は、電源スイッチ８２がオフに切り替えられることに応じて本体１１内に沈胴されて収納される。また、電源スイッチ８２がオフに切り替えられると、可撓性のモニタ６９は、本体１１内に設けられた後述する巻取／繰出機構１５により、本体１１に開口されたスリット１１ａから本体１１内に巻回されて収納される。このように、電源スイッチ８２がオフに切り替えられることに応じてレンズ部１４及びモニタ６９が本体１１内に収納し、レンズ部１４及びモニタ６９を保護する。
【００２２】
電源スイッチ８２がオフからオンに切り替えられると、モニタ６９は、本体１１の開口であるスリット１１ａから繰り出される。繰り出されたモニタ６９は、本体１１の表面に設けられた凹状平面のモニタガイド６３上を摺動し、映像の表示面Ｆが露出する（図１を参照）。電源スイッチ８２がオフからオンに切り替えられると、レンズ部１４も本体１１から出胴する。
【００２３】
図３は、巻取／繰出機構１５の斜視図である。巻取／繰出機構１５は、長尺状のモニタ６９の幅と略同一の幅を有し、その端部表面には円周方向に沿って略等間隔Ｌで突起状の凸部１５ａが設けられたスプロケットである。巻取／繰出機構１５の円筒中心を挿通する回転軸１５ｂには、駆動ギア１５ｃが取り付けられており、図示しない動力伝達機構１４２のギアと駆動ギア１５ｃとが噛合して機械的に連結し、回動力の伝達を受け、これにより回転軸１５ｂが回転してモニタ６９の巻き取り／繰り出しを行う。
【００２４】
図４は、モニタ６９の斜視図である。モニタ６９の先端部ＢＤにはリーダ６８が貼付されている。リーダ６８の剛性はモニタ６９よりも高く、巻取／繰出機構１５による回転力がリーダ６８を介してモニタ６９に伝達されることでモニタ６９が巻き取られるか繰り出される。リーダ６８の長さは、巻取／繰出機構１５の外周長さに相当し、巻き取り時にモニタ６９が巻取／繰出機構１５と直接接触して損傷するのを防ぐ。
【００２５】
モニタ６９及びリーダ６８の長軸方向に沿った両端部には細帯状の支持体６７が設けられている。支持体６７がリーダ６８に貼着されている第１部分６７−１には、略等間隔Ｌで孔状の凹部６７ａが設けられている。支持体６７がモニタ６９に貼着されている第２部分６７−２には凸部等は設けられていないが、モニタ６９の巻取／繰出に特に必要ある場合は設けてもよい。
【００２６】
図５は、モニタ６９が巻取／繰出機構１５に巻回される状態を示す斜視図である。巻取／繰出機構１５が図示Ｒ１方向に回転すると、支持体６７の凹部６７ａに巻取／繰出機構１５の凸部１５ａが嵌合することでリーダ６８に巻回力が伝達され、モニタ６９が巻取／繰出機構１５に巻き取られる。一方、巻取／繰出機構１５が図示Ｒ２方向に回転すると、巻取／繰出機構１５に巻回されたリーダ６８及びモニタ６９に弛みが生じる。さらに巻取／繰出機構１５が図示Ｒ２方向に回転すると、支持体６７の剛性により生じる回転モーメントによってモニタ６９に対し図示Ｙ方向へ繰出力が加わり、モニタ６９が図示Ｙ方向に繰り出される。
【００２７】
なお、モニタ６９の巻回により生じたカールに、逆カールを生じさせる張力、反発力、弾性力その他の力を加えてカールを除去するカール除去機構を設けておき、カール除去機構によってモニタ６９のカールを除去しつつモニタ６９をスリット１１ａから繰り出すようにしてもよい。このように、モニタ６９のカール除去と繰り出しとを連動させることで、繰り出し時に撓んだモニタ６９がガイド６３と接触して損傷するのを防げる。
【００２８】
図６は、図１のデジタルカメラ１０のＡ１−Ａ２線に沿った断面図である。カメラ本体１１内部には、モニタ６９の巻き取り／繰り出しを行う巻取／繰出機構１５が設けられており、巻取／繰出機構１５のＲ２方向への回転により、モニタ６９がカメラ本体１１の背面に沿ったＹ方向に繰り出されるか、Ｒ１方向への回転により、カメラ本体１１内に巻き取られて収納される。
【００２９】
図７はデジタルカメラ１０の機能ブロック図である。同図において、中央処理装置（ＣＰＵ）１１２は、シャッターボタン８０、電源スイッチ８２、モード切替スイッチ８４、アスペクト比切替スイッチ８５や、十字キー、メニュー／実行ボタン、キャンセル／戻るボタン、表示ボタン、シフトボタン、表示切換ボタン、拡大表示ボタン、並びにＡＥロックの指示を入力するＡＥ固定ボタン等からなる操作部１５７からの入力に基づいてデジタルカメラ１０内の各回路を統括制御する。
【００３０】
カメラ１０は、インターネットなどのネットワークあるいはＵＳＢポートなどの各種通信手段と有線又は無線接続し、画像やプログラムなどの各種データの送受信を行う通信部１５６を備えている。
【００３１】
いま、モード切替スイッチ８４によって撮影モードが設定されると、ＣＰＵ１１２は、動画（スルー画）をモニタ６９に表示させ、撮影画角を確認可能にする。即ち、レンズ部１４を通過した被写体光は、撮像素子（ＣＣＤ）１２７の受光面上に結像する。ＣＣＤ１２７は、受光面に結像された被写体光をその光量に応じた量の信号電荷に変換する。このようにして蓄積された信号電荷は、ＣＰＵ１１２の指令に従いタイミングジェネレータ１２１から与えられる駆動パルスに基づいて信号電荷に応じた電圧信号（画像信号）として順次読み出される。
【００３２】
ＣＣＤ１２７から出力された信号はアナログ処理部（ＣＤＳ／ＡＭＰ）１２３に送られ、ここで画素ごとのＲ，Ｇ，Ｂ信号がサンプリングホールド（相関二重サンプリング処理）され、増幅された後、Ａ／Ｄ変換器１２４に加えられる。Ａ／Ｄ変換器１２４によってデジタル信号に変換された点順次のＲ，Ｇ，Ｂ信号は、画像入力コントローラ１２６を介してメモリ（ＳＤＲＡＭ）１２８に記憶される。尚、メモリ１２８は、画像データの一時記憶領域として利用されるとともに、プログラムの展開領域及びＣＰＵ１１２の演算作業用領域として利用される。
【００３３】
画像信号処理回路１３０は、メモリ１２８に記憶されたＲ，Ｇ，Ｂ信号をＣＰＵ１１２の指令に従って処理する。即ち、画像信号処理回路１３０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１１２からのコマンドに従ってメモリ１２８を活用しながら所定の信号処理を行う。
【００３４】
画像信号処理回路１３０に入力されたＲ、Ｇ、Ｂ信号は、輝度信号（Ｙ信号）及び色差信号（Ｃr,Ｃb 信号）に変換されるとともに、ガンマ補正等の所定の処理が施される。画像信号処理回路１３０で処理されたＹＣ信号はＶＲＡＭ１３２に格納される。
【００３５】
撮影画像をモニタ６９にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換してモニタ６９に出力する。
【００３６】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号がモニタ６９に供給されることにより、撮像中の映像がリアルタイムにモニタ６９に表示される。ユーザは、モニタ６９に表示される映像（スルー画）によって撮影画角を確認できる。
【００３７】
十字キーの上キーでズームアップ又は下キーでズームダウンの操作が行われると、ＣＰＵ１１２は、当該操作に応じてモータドライバ１２０を制御し、モータ１２２を駆動させる。モータ１２２はＤＣモータが用いられ、モータドライバ１２０からモータ１２２に印加する電圧の極性を変えることにより、ズームレンズ１２をテレ方向又はワイド方向に駆動する。モータ１２２の回転動力は、動力伝達機構１４２を介してレンズ部１４に伝達され、レンズ部１４がカメラ本体１１内に沈胴し又はカメラ本体１１内から出胴することで、ズームレンズ１２がテレ方向又はワイド方向に移動して焦点距離が変更される。
【００３８】
ここで、シャッターボタン８０が半押しされると、ＡＥ及びＡＦ処理が開始される。即ち、ＣＣＤ１２７から出力された画像信号はＡ／Ｄ変換後に画像入力コントローラ１２６を介してＡＦ検出回路１３６並びにＡＥ／ＡＷＢ検出回路１３８に入力される。
【００３９】
ＡＥ／ＡＷＢ検出回路１３８は、１画面を複数のエリア（例えば、１６×１６）に分割し、分割エリアごとにＲＧＢ信号を積算する回路を含み、その積算値をＣＰＵ１１２に提供する。ＣＰＵ１１２は、ＡＥ／ＡＷＢ検出回路１３８から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１１２はタイミングジェネレータ１２１を介してＣＣＤ１２７の電子シャッタを制御するとともに、モータ１２２の動力を伝達する動力伝達機構１４２を介して絞り１１６を制御して適正な露光量を得る。
【００４０】
また、ＡＥ／ＡＷＢ検出回路１３８は、自動ホワイトバランス調整時には、分割エリアごとにＲＧＢ信号の色別の平均積算値を算出し、その算出結果をＣＰＵ１１２に提供する。ＣＰＵ１１２は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００４１】
また、ＡＦ制御は、例えば画像信号のＧ信号の高周波成分が極大になるようにレンズ部１４の撮像レンズ１１８を移動させるコントラストＡＦが適用される。即ち、ＡＦ検出回路１３６は、Ｇ信号の高周波成分のみを通過させるハイパスフィルタ、絶対値化処理部、モニタ６９の表示画面内（例えば、画面中央部）に予め設定されているフォーカス対象エリア内の信号を切り出すＡＦエリア抽出部、及びＡＦエリア内の絶対値データを積算する積算部から構成される。
【００４２】
ＡＦ検出回路１３６で求めた積算値のデータはＣＰＵ１１２に通知される。ＣＰＵ１１２は、モータドライバ１２０と動力伝達機構１４２を制御して撮影レンズ１１８を移動させながら、複数のＡＦ検出ポイントで焦点評価値（ＡＦ評価値）を演算し、評価値が極大となるレンズ位置を合焦位置として決定する。そして、求めた合焦位置に撮影レンズを移動させるようにモータドライバ１２０を制御する。尚、ＡＦ評価値の演算はＧ信号を利用する態様に限らず、輝度信号（Ｙ信号）を利用してもよい。
【００４３】
上記ＡＥ／ＡＦ処理が行われ、シャッターボタン８０が全押しされることによって記録用の撮影動作がスタートする。Ｓ２オンに応動して取得された画像データは画像信号処理回路１３０において輝度／色差信号（Ｙ／Ｃ信号）に変換され、ガンマ補正等の所定の処理が施された後、メモリ１２８に格納される。
【００４４】
メモリ１２８に格納されたＹ／Ｃ信号は、圧縮伸長処理回路１４４によって所定のフォーマットに従って圧縮された後、メディアコントローラ１４６を介して記録メディア４０にExif（Exchangeable Image File Format）ファイルとして記録される。撮影済みの主画像及び主画像を縮小したサムネイル画像はExifファイルのデータ部に記録され、撮影条件などの付帯情報はExifファイルのタグに記録される。
【００４５】
カメラ１０にはアスペクト比切替スイッチ８５が設けられており、シャッターボタン８０の全押し待機中に通常撮影モードとワイド撮影モードとを切り替えて撮影を行なうことができる。アスペクト比切替スイッチ８５により通常撮影モードに切り替えられてシャッターボタン８０が全押しされると、フルサイズの画像（アスペクト比３：４）を記録する。一方、アスペクト比切替スイッチ８５によりワイド撮影モードに切り替えられてシャッターボタン８０が全押しされると、ＣＣＤ１２７の有効画素領域の上下の所定部分を遮光したワイドサイズの画像（アスペクト比９：１６）を記録する。アスペクト比切替スイッチ８５で相互に切り替え可能なアスペクト比は、上記のようなフルサイズやワイドサイズに限らず、その他のアスペクト比であってもよい。
【００４６】
モード切替スイッチ８４により再生モードが選択されると、記録メディア４０に記録されている最終の画像ファイル（あるいは最後に記録されたファイルでも可）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のカラー複合映像信号を作成し、これをモニタ６９に出力する。これにより、モニタ６９には記録メディア４０に記録されている最終コマのコマ画像が表示される。
【００４７】
その後、順コマ送りスイッチ（図示せず）が押されると、順方向にコマ送りされ、逆コマ送りスイッチ（図示せず）が押されると、逆方向にコマ送りされる。そして、コマ送りされたコマ位置の画像ファイルが記録メディア４０から読み出され、上記と同様にしてコマ画像がモニタ６９に再生される。尚、最終コマのコマ画像が表示されている状態で順方向にコマ送りされると、記録メディア４０に記録されている１コマ目の画像ファイルが読み出され、１コマ目のコマ画像がモニタ６９に再生される。
【００４８】
カメラ１０の各部への電源供給は主要電源１６４により行われる。残容量検知部１６５は、主要電源１６４の電源電圧の測定等により残容量を検知し、主要電源１６４の残容量が所定の閾値を下回ると、バックアップ電源１６６による電源供給に切り替える。バックアップ電源１６６は、ストロボ等の高負荷には電源供給せず、省電力で動作するＣＰＵ１１２やＳＲＡＭ１６７等に電源供給し、必要な情報のバックアップをする。
【００４９】
モータ１２２の回転動力は、動力伝達機構１４２を介して巻取／繰出機構１５にも伝達される。巻取／繰出機構１５によるモニタ６９の本体１１外部への繰出量は、ＣＰＵ１１２によって算出され、ＣＰＵ１１２がモータドライバ１２０及び動力伝達機構１４２を制御し、算出した繰出量（以下目標繰出量という）だけ巻取／繰出機構１５がモニタ６９を本体１１外部へ繰り出すようモータ１２２を回転駆動させる。
【００５０】
巻取／繰出機構１５の動力源は特に限定されない。図７の構成では、モータ１２２の動力を、動力伝達機構１４２を介して巻取／繰出機構１５、レンズ部１４又は絞り１１６に伝達する構成であるが、巻取／繰出機構１５、レンズ部１４又は絞り１１６を駆動する動力を別個にしてもよい。例えば、図８のように、巻取／繰出機構１５を駆動する動力はモータ１２２ａから動力伝達機構１４２ａを介して供給し、レンズ部１４又は絞り１１６を駆動する動力はモータ１２２ｂからから動力伝達機構１４２ｂを介して供給し、モータ１２２ａ、モータ１２２ｂはそれぞれモータドライバ１２０ａ、１２０ｂにより独立して駆動されるような構成にしてもよい。
【００５１】
ただし、図８の構成では、巻取／繰出機構１５を駆動するモータ１２２ａ、レンズ部１４等を駆動するモータ１２２ｂをそれぞれ独立して設ける必要があるため、図７の構成に比してコストアップにつながる可能性がある。
【００５２】
なお、図示しないが、巻取／繰出機構１５の回転軸１５ｂには白黒パターンの貼付された円盤状のロータリーエンコーダが取り付けられている。巻取／繰出機構１５の回転によるロータリーエンコーダの白黒模様の切り替わりを図示しないフォトインタラプタによって検出することでＣＰＵ１１２が巻取／繰出機構１５の合計回転角度を算出し、これに基づいて現在のモニタ６９の繰出量（以下現在繰出量という）を算出する。
【００５３】
ＣＰＵ１１２の目標繰出量はＥＥＰＲＯＭ１３３に記憶されている。好ましくは、モード切替スイッチ８４により設定される撮影モードに対応する第１の目標繰出量又は再生モードに対応した第２の目標繰出量を記憶させておく。
【００５４】
また、好ましくは、アスペクト比切替スイッチ８５により設定される画像のアスペクト比に対応する目標繰出量をＥＥＰＲＯＭ１３３に記憶させておく。アスペクト比切替スイッチ８５で設定される通常撮影モードのアスペクト比３：４に対応する目標繰出量は、本体１１外部に露出したモニタ６９のアスペクト比が３：４となる繰出量である。一方、アスペクト比切替スイッチ８５で設定されるワイド撮影モードのアスペクト比９：１６に対応する目標繰出量は、本体１１外部に露出したモニタ６９のアスペクト比が９：１６となる繰出量である。アスペクト比切替スイッチ８５により通常撮影モード又はワイド撮影モードが設定されると、モニタ６９のアスペクト比が設定された撮影モードのアスペクト比に適合するように繰り出されるため、モニタ６９一杯にスルー画像を映し出すことができる。
【００５５】
電源スイッチ８２がオンにされたとき、ＣＰＵ１１２は巻取／繰出機構１５がモニタ６９を予めＥＥＰＲＯＭ１３３に記憶された所定のデフォルトの目標繰出量だけ繰り出すようモータ１２２を回転駆動させるようにモータドライバ１２０を制御してもよい。
【００５６】
電源スイッチ８２がオンにされると、レンズ部１４がカメラ本体１１に出胴する動作を行うが、レンズ部１４の出胴とモニタ６９の繰り出しのいずれを先に行ってもよい。
【００５７】
また、電源スイッチ８２をオフにする際、レンズ部１４の沈胴とモニタ６９の巻き取りが行われるが、レンズ部１４の沈胴とモニタ６９の巻き取りのいずれを先に行ってもよい。
【００５８】
以下、カメラ１０がモニタ６９の繰り出し／巻き取りを行う具体的な動作の流れを説明する。
【００５９】
（撮影モード設定中の繰り出し／巻き取り）
まず、図９のフローチャートに従い、撮影モード設定時におけるモニタ６９の繰り出し／巻き取りの動作手順を説明する。この動作は、モード切替スイッチ８４によって撮影モードが設定されたときに開始される。
【００６０】
Ｓ１では、ＣＰＵ１１２はモード切替スイッチ８４が操作されたか否かを判断する。アスペクト比切替スイッチ８５が操作された場合はＳ２に移行し、操作されない場合は操作を引き続き待機する。
【００６１】
Ｓ２では、ＣＰＵ１１２はアスペクト比切替スイッチ８５で設定された撮影モード即ち通常撮影モード又はワイド撮影モードに対応する目標繰出量をＥＥＰＲＯＭ１３３から読み出す。そして、ＣＰＵ１１２がモータドライバ１２０及び動力伝達機構１４２を制御し、読み出した目標繰出量だけ巻取／繰出機構１５がモニタ６９を本体１１外部へ繰り出すようモータ１２２を回転駆動させる。
【００６２】
Ｓ３では、モニタ６９にスルー画を表示する。
【００６３】
なお、上記の動作は撮影モードが設定されている限り繰り返される。シャッターボタン８０の全押しに応じた画像記録は上記の動作とは別個独立に開始される。
【００６４】
（再生モード設定中の繰り出し／巻き取り）
次に、図１０のフローチャートに従い、再生モード設定時のモニタ６９の繰り出し／巻き取りの動作手順を説明する。この動作は、モード切替スイッチ８４によって再生モードが設定されたときに開始される。
【００６５】
Ｓ１１では、ＣＰＵ１１２は記録メディア４０に記録されている画像ファイルの圧縮データを読み出し、この画像のアスペクト比を縦横の画素数から算出する。十字ボタンの操作によって記録メディア４０から読み出すべき画像の選択を受け付けてもよい。
【００６６】
Ｓ１２では、算出された画像のアスペクト比に対応する目標繰出量をＥＥＰＲＯＭ１３３から読み出す。そして、ＣＰＵ１１２がモータドライバ１２０及び動力伝達機構１４２を制御し、読み出した目標繰出量だけ巻取／繰出機構１５がモニタ６９を本体１１外部へ繰り出すようモータ１２２を回転駆動させる。
【００６７】
Ｓ１３では、読み出された画像圧縮データからカラー複合映像信号を作成し、これをモニタ６９に出力する。
【００６８】
なお、上記の動作は再生モードが設定されている限り繰り返される。順コマ送りスイッチ又は逆コマ送りスイッチが押下されて表示する画像のコマ送りが指示されると、コマ送りで表示指定された画像が読み出された上、上記の動作が行われる。
【００６９】
＜第２実施形態＞
第１実施形態では、モニタ６９に表示する画像のアスペクト比とモニタ６９の表示アスペクト比とが一致するようにモニタ６９の繰り出し／巻き取りを行ったが、モニタ６９に表示する１又は複数の画像の表示サイズに応じてモニタ６９の繰り出し／巻き取りを制御してもよい。
【００７０】
一例として、ＣＰＵ１１２は、モニタ６９に表示する各画像の表示サイズ（解像度、単位はピクセル）に基づいて目標繰出量を算出することもできる。Exifファイルに記録された撮影済みの主画像の表示サイズをS1ピクセル、主画像の総数をn1、サムネイル画像の表示サイズをS2ピクセル、サムネイル画像の総数をn2、モニタ６９の繰り出し方向Yに沿った単位長さ当たりの表示ピクセル数をLY（単位はピクセル／ミリメートル）、モニタ６９の繰り出し方向Yと直交する方向Xに沿った全表示ピクセル数をLXピクセルとすると、ＣＰＵ１１２は、モニタ６９の目標繰出量F（単位はミリメートル）を、以下の計算式（１）
F=(S1×n1+S2×n2)/LX×LY・・・（１）
で算出する。
【００７１】
無論、すべての画像を隙間なくモニタ６９に配列して表示できない場合もある。この場合、画像間にできる間隙のサイズをCピクセルとすると、ＣＰＵ１１２は、モニタ６９の目標繰出量Fを、以下の計算式（２）
F=(S1×n1+S2×n2+c)/LX×LY・・・（２）
で算出する。すべての画像を隙間なくモニタ６９に配列して表示できる場合はC=0となる。
【００７２】
画像とともに撮影情報もモニタ６９に表示する場合は、撮影情報の表示サイズをIピクセルとすると、ＣＰＵ１１２は、モニタ６９の目標繰出量Fを、以下の計算式（３）
F=(S1×n1+S2×n2+c+I)/LX×LY・・・（３）
で算出する。
【００７３】
以上の計算式（１）ないし（３）は、モード切替スイッチ８４により再生モードが選択された場合にＣＰＵ１１２が使用する。
【００７４】
一方、モード切替スイッチ８４により撮影モードが選択された場合には、スルー画像とともに、撮影済みの画像及びサムネイル画像をモニタ６９に表示してもよい。この場合、スルー画像の表示領域を確保するため、目標繰出量Fの算出式にスルー画像の表示サイズをパラメータとして取り入れる。即ち、スルー画像の表示サイズをTピクセルとすると、ＣＰＵ１１２は、モニタ６９の目標繰出量Fを、以下の計算式（４）
F=(S1×n1+S2×n2+c+I+T)/LX×LY・・・（４）
で算出する。
【００７５】
再生モード・撮影モードと目標繰出量Fの計算式との関係は必然でなく、計算式（４）のみを用いて目標繰出量Fを算出することも可能である。即ち、再生モードが設定されればT=0とすれば足りる。また、液晶パネル７０にのみ撮影情報を表示し、モニタ６９に撮影情報を表示しない場合は、I=0とすれば足りる。以下、説明の簡略のため、ＣＰＵ１１２は計算式（４）を用いて目標繰出量Fを算出するものとする。
【００７６】
図１１は、モニタ６９に表示する画像の表示サイズに応じてモニタ６９の繰り出し／巻き取りを制御する動作の流れを示したフローチャートである。
【００７７】
Ｓ２１では、計算式（４）を用いて目標繰出量Fを算出する。
【００７８】
Ｓ２２では、ＣＰＵ１１２がモータドライバ１２０及び動力伝達機構１４２を制御し、目標繰出量Fだけ巻取／繰出機構１５がモニタ６９を本体１１外部へ繰り出すようモータ１２２を回転駆動させる。
【００７９】
Ｓ２３では、モニタ６９に画像を表示する。撮影モードが設定されていればスルー画像が、再生モードが設定されていれば撮影済みの画像ないしサムネイル画像が表示される。
【００８０】
なお、再生モードが設定された場合において、主画像とサムネイル画像の両方の画像を並べて表示する「並列表示」又は主画像のみ表示を行う「通常表示」を操作部１５７から選択可能にしてもよい。あるいは、撮影モードが設定された場合において、スルー画像と撮影済み画像若しくはサムネイル画像の両方の画像を並べて表示する「並列表示」又はスルー画像のみ表示を行う「通常表示」を操作部１５７から選択可能にしてもよい。
【００８１】
図１２〜２３はモニタ６９の繰り出しの例を示す。この内、図１２〜１７はモード切替スイッチ８４により撮影モードが選択された場合の例であり、図１８〜２３はモード切替スイッチ８４により再生モードが選択された場合の例である。
【００８２】
モード切替スイッチ８４により撮影モードが選択されると、ＣＰＵ１１２は、図１１の動作を開始し、モニタ６９の目標繰出量Fの算出及びモニタ６９の繰り出しを制御する。
【００８３】
図１２は、記録メディア４０に全く撮影済み画像が記録されておらず、かつ撮影情報を表示しない場合の繰り出しの例である。この場合、ＣＰＵ１１２は、計算式（４）にn1=n2=I=c=0を代入して目標繰出量Fを算出する。この目標繰出量Fだけ繰り出されたモニタ６９のサイズは、スルー画像ＩＭ１の表示サイズTと適合している。なお、第１実施形態で説明したように、アスペクト比切替スイッチ８５によってフルサイズ又はワイドサイズの画像撮影を切り替えることがあるから、これに応じてスルー画像の表示サイズTも変化しうる。このため、ＣＰＵ１１２は、アスペクト比切替スイッチ８５が操作されると図１１の動作を開始し、モニタ６９の繰り出しをやり直す。
【００８４】
図１３は、記録メディア４０に２つの撮影済み画像ＩＭ２及びＩＭ３が記録されており、かつ撮影情報を表示しない場合の「通常表示」の例である。この場合、ＣＰＵ１１２は、計算式（４）にn1=2, n2=I=0を代入して目標繰出量Fを算出する。画像間の隙間を考慮しないと、スルー画像ＩＭ１及び撮影済み画像ＩＭ２・ＩＭ３の合計の表示サイズに、繰り出したモニタ６９のサイズが適合する。ＣＰＵ１１２は、シャッターボタン８０が全押しされる度に、即ち撮影済み画像が増加する度に、図１１の動作を開始する。
【００８５】
図１４は、記録メディア４０に３つの撮影済みの主画像のサムネイル画像ＩＭ４〜ＩＭ６が記録されており、かつ撮影情報ＰＩを表示する場合の「並列表示」の例である。この場合、ＣＰＵ１１２は、計算式（４）にn1=0を代入して目標繰出量Fを算出する。これは、n1=3を代入してFを算出すると、モニタ６９の繰り出し量の限界値Fmaxを超えるためであり、目標繰出量FはFmax以下となるように算出される。また、cの値はサムネイルの配置によって増減しうるが、なるべくcの値が最小となるように（即ちサムネイル画像間の隙間の面積が最小となるように）サムネイル画像を配置することが好ましい。画像間の隙間を考慮しないと、スルー画像ＩＭ１及びサムネイル画像の合計の表示サイズと繰り出したモニタ６９のサイズとが略適合する。ＣＰＵ１１２は、サムネイル画像の数が増加又は減少するたびに図１１の動作を開始する。
【００８６】
図１５は、記録メディア４０に１つの撮影済み画像ＩＭ７と３つの撮影済み画像のサムネイル画像ＩＭ８〜ＩＭ１０が記録されており、かつ撮影情報ＰＩを表示する場合の「並列表示」の例である。この場合、ＣＰＵ１１２は、計算式（４）にn1=1, n2=3を代入して目標繰出量Fを算出する。画像間の隙間を考慮しないと、撮影情報ＰＩ、スルー画像ＩＭ１、撮影済み画像ＩＭ７及びサムネイル画像ＩＭ８〜ＩＭ１０の合計の表示サイズと繰り出したモニタ６９のサイズとが適合する。撮影済み画像ＩＭ７として表示する画像は、撮影済み画像の中のどれでもよいが、例えば直近に撮影された画像とすることができる。
【００８７】
図１６及び１７は、撮影情報を液晶パネル７０に表示し、モニタ６９に表示しない場合の繰り出しの例である。図１６では、スルー画像ＩＭ１とサムネイル画像ＩＭ４〜６との合計の表示サイズと適合する繰り出し量だけモニタ６９が繰り出されており、図１７では、スルー画像ＩＭ１、撮影済み画像ＩＭ７及びサムネイル画像ＩＭ８〜ＩＭ１０の合計の表示サイズと適合する繰り出し量だけモニタ６９が繰り出されている。
【００８８】
図１８〜２３はモード切替スイッチ８４により再生モードが選択された場合の例であるが、スルー画像と撮影情報がモニタ６９に表示されない点を除けば図１２〜１７と同様である。
【００８９】
図１８は撮影済み画像ＩＭ１１の表示サイズと適合する繰り出し量だけモニタ６９が繰り出されており、図１９は複数の撮影済み画像ＩＭ１２〜ＩＭ１４の表示サイズと適合する繰り出し量だけモニタ６９が繰り出され、画像が「通常表示」されている。
【００９０】
また、図２０は複数のサムネイル画像ＩＭ１５〜ＩＭ２０の表示サイズと適合する繰り出し量だけモニタ６９が繰り出されており、図２１は撮影済み画像ＩＭ２１及び複数のサムネイル画像ＩＭ２２〜ＩＭ３０の表示サイズと適合する繰り出し量だけモニタ６９が繰り出され、画像が「並列表示」されている。
【００９１】
図２２及び図２３は撮影情報を液晶パネル７０に表示し、モニタ６９には撮影済みの主画像とサムネイル画像だけ表示する場合の繰り出しの例である。図２２では、複数のサムネイル画像ＩＭ３１〜３６の合計の表示サイズと適合する繰り出し量だけモニタ６９が繰り出されており、図２３では、撮影済み画像ＩＭ１１及びサムネイル画像ＩＭ１２〜ＩＭ１７の合計の表示サイズと適合する繰り出し量だけモニタ６９が繰り出されている。
【図面の簡単な説明】
【００９２】
【図１】本発明の好ましい実施形態に係るデジタルカメラの背面側斜視図
【図２】モニタがカメラ本体に収納された状態の背面側斜視図
【図３】巻取／繰出機構の斜視図
【図４】モニタの斜視図
【図５】モニタが巻取／繰出機構に巻き取られた状態の斜視図
【図６】デジタルカメラの断面図
【図７】デジタルカメラのブロック図
【図８】デジタルカメラのブロック図
【図９】アスペクト切替スイッチで選択されたアスペクト比に応じたモニタ繰り出し動作の流れを示すフローチャート
【図１０】撮影済み画像のアスペクト比に応じたモニタ繰り出し動作の流れを示すフローチャート
【図１１】画像の表示サイズに応じたモニタ繰り出し動作の流れを示すフローチャート
【図１２】スルー画像の表示サイズに応じて繰り出されたモニタの一例を示す図
【図１３】スルー画像及び撮影済み画像の表示サイズに応じて繰り出されたモニタの一例を示す図
【図１４】スルー画像、サムネイル画像及び撮影情報の表示サイズに応じて繰り出されたモニタの一例を示す図
【図１５】スルー画像、撮影済み画像、サムネイル画像及び撮影情報の表示サイズに応じて繰り出されたモニタの一例を示す図
【図１６】スルー画像及びサムネイル画像の表示サイズに応じて繰り出されたモニタ及び表示パネルに表示された撮影情報の一例を示す図
【図１７】スルー画像、撮影済み画像及びサムネイル画像の表示サイズに応じて繰り出されたモニタ及び表示パネルに表示された撮影情報の一例を示す図
【図１８】撮影済み画像の表示サイズに応じて繰り出されたモニタの一例を示す図
【図１９】複数の撮影済み画像の表示サイズに応じて繰り出されたモニタの一例を示す図
【図２０】複数のサムネイル画像の表示サイズに応じて繰り出されたモニタの一例を示す図
【図２１】撮影済み画像及び複数のサムネイル画像の表示サイズに応じて繰り出されたモニタの一例を示す図
【図２２】複数のサムネイル画像の表示サイズに応じて繰り出されたモニタ及び表示パネルに表示された撮影情報の一例を示す図
【図２３】撮影済み画像及び複数のサムネイル画像の表示サイズに応じて繰り出されたモニタ並びに表示パネルに表示された撮影情報の一例を示す図
【符号の説明】
【００９３】
１０：デジタルカメラ、１１：カメラ本体、１４：レンズ部、１５：巻取／繰出機構、６９：モニタ、８０：シャッターボタン、８２：電源スイッチ、８４：モード切替スイッチ、８５：アスペクト比切替スイッチ、１２０：モータドライバ、１２２：モータ、１４２：動力伝達機構
【図１】
2006229907.tif 000003
【図２】
2006229907.tif 000004
【図３】
2006229907.tif 000005
【図４】
2006229907.tif 000006
【図５】
2006229907.tif 000007
【図６】
2006229907.tif 000008
【図７】
2006229907.tif 000009
【図８】
2006229907.tif 000010
【図９】
2006229907.tif 000011
【図１０】
2006229907.tif 000012
【図１１】
2006229907.tif 000013
【図１２】
2006229907.tif 000014
【図１３】
2006229907.tif 000015
【図１４】
2006229907.tif 000016
【図１５】
2006229907.tif 000017
【図１６】
2006229907.tif 000018
【図１７】
2006229907.tif 000019
【図１８】
2006229907.tif 000020
【図１９】
2006229907.tif 000021
【図２０】
2006229907.tif 000022
【図２１】
2006229907.tif 000023
【図２２】
2006229907.tif 000024
【図２３】
2006229907.tif 000025